(57)【要約】      （修正有）【課題】安定型コンバータと非安定型コンバータを有するスイッチング電源装置を小型化するため、安定型コンバータの出力フィルタ回路のコンデンサを等価直列抵抗の小さなものに変更する場合の設計の難易度を低減し、出力電圧の制御精度や過渡応答特性を改善する。【解決手段】安定型コンバータ10と非安定型コンバータ12を直列に接続し、出力電圧制御回路により安定型コンバータ10のスイッチング素子TR11を制御することで非安定型コンバータ12の出力電圧Ｖｏが所定の電圧Vrefに安定化されるように制御される。安定型コンバータ10は、チョークコイルL21とコンデンサ部で構成された出力フィルタ回路18を持ち、コンデンサ部は、内部の等価直列抵抗の小さい第１のコンデンサC21に、抵抗R20と第２のコンデンサC20の直列回路を並列に接続することで、出力フィルタ回路18における位相が遅れる特性とゲインが上昇する特性を改善する。【選択図】図１
2018098982.tif 000002
【特許請求の範囲】
【請求項１】
安定型コンバータと非安定型コンバータを直列に接続し、出力電圧制御回路により前記安定型コンバータのスイッチング素子を制御することで前記非安定型コンバータの出力電圧が所定の電圧に安定化されるように制御するスイッチング電源装置であって、
前記安定型コンバータは、チョークコイルとコンデンサ部で構成された出力フィルタ回路を持ち、前記コンデンサ部は、第１のコンデンサと、抵抗と第２のコンデンサの直列回路が前記第１のコンデンサに並列に接続されたことを特徴とするスイッチング電源装置。
【請求項２】
請求項１記載のスイッチング電源装置に於いて、前記第１のコンデンサを、フィルムコンデンサ又はセラミックコンデンサとしたことを特徴とするスイッチング電源装置。
【請求項３】
請求項１記載のスイッチング電源装置に於いて、前記第１のコンデンサをフィルムコンデンサ又はセラミックコンデンサとし、前記第２のコンデンサを電解コンデンサとしたことを特徴とするスイッチング電源装置。
【請求項４】
請求項１記載のスイッチング電源装置に於いて、前記第２のコンデンサに直列に接続している抵抗に電位障壁素子を並列に接続したことを特徴とするスイッチング電源装置。
【請求項５】
請求項４記載のスイッチング電源装置に於いて、前記電位障壁素子と直列に抵抗を接続したことを特徴とするスイッチング電源装置。
【発明の詳細な説明】
【技術分野】
【０００１】
本発明は、安定型コンバータの出力に非安定型コンバータの入力を接続して構成し、入力電圧を所望の電圧に変換して電子機器等の負荷に供給するスイッチング電源装置に関する。
【背景技術】
【０００２】
従来、安定型コンバータの出力に非安定型コンバータの入力を接続した構成を持つ高効率な絶縁型スイッチング電源装置が知られている。このスイッチング電源装置は、安定型コンバータが出力電圧を所定の値に安定化するための機能を持ち、非安定型コンバータが電圧変換を行う機能を持つもので、各コンバータの役割を分離することで、高効率を実現している。
【０００３】
このスイッチング電源装置は、安定型コンバータとして、昇圧チョッパー回路や降圧チョッパー回路等の非絶縁型コンバータが用いられることが一般的であり、スイッチング素子のデューティを制御することで出力電圧の制御を行う。
【０００４】
また、非安定型コンバータは、ハーフブリッジコンバータやフルブリッジコンバータ等の内部にトランスを備えた絶縁型コンバータが用いられることが一般的であり、スイッチング素子を固定のデューティで動作させることで非安定型コンバータに入力された電圧を所定の比率で変換して出力するコンバータ回路として動作させる。
【０００５】
安定型の非絶縁型コンバータである昇圧チョッパー回路と、非安定型コンバータであるハーフブリッジコンバータ回路を組み合わせて構成されたスイッチング電源装置が特許文献１に開示されている。これらのスイッチング電源装置は、出力電圧を所定の電圧に安定化するために安定型コンバータに対してフィードバック制御を行うための出力電圧制御回路を備えている。
【先行技術文献】
【特許文献】
【０００６】
【特許文献１】特開平７−３３７００１号公報
【発明の概要】
【発明が解決しようとする課題】
【０００７】
（スイッチング電源装置の小型化に対する課題）
安定型コンバータと非安定型コンバータを組み合わせたスイッチング電源装置を小型化する場合を考える。安定型コンバータと非安定型コンバータを組み合わせたスイッチング電源装置では、非安定型コンバータの出力側のコンデンサがスイッチング電源装置としての出力リップルの大小を決定するため、安定型コンバータの出力側のコンデンサと非安定型コンバータの入力側のコンデンサの容量を小さくしても、スイッチング電源装置としての出力電圧リップルが大きくなることが無い。
【０００８】
特許文献１の図４を例にすると、安定型コンバータの出力側に使用している電解コンデンサであるコンデンサ４０５と、非安定型コンバータ入力側に使用しているコンデンサ４２１、４２２を小容量のコンデンサに変更することで、スイッチング電源装置の小型化を行うことが可能となる。
【０００９】
また、安定型コンバータの出力側のコンデンサ４０５と非安定型コンバータの入力側のコンデンサ４２１、４２２とが並列に接続されている形となるので、これらを共用して動作させるように、安定型コンバータの出力側のコンデンサ４０５の削除を検討しても良い。
【００１０】
ところで、これらのコンデンサは、安定型コンバータのスイッチング素子がオンオフする際に発生するチョークコイルの電流の振動が流れ込むコンデンサであるため、大きなリップル電流が流れるコンデンサとなる。そこで、これらのコンデンサとして容量の小さなものを使用する場合には、電解コンデンサを使用することができなくなる。これは、電解コンデンサは素子の内部に等価的に存在する直列抵抗（以下「等価直列抵抗」という）をもっており、等価直列抵抗は容量が小さくなるに従って大きくなる特性を持っているためである。
【００１１】
このように容量の小さな電解コンデンサに大きなリップル電流を流すと、この等価直列抵抗が発熱することになり、素子を故障させてしまう。そこで、電解コンデンサに代えてフィルムコンデンサやセラミックコンデンサ等の等価直列抵抗の小さなコンデンサを使用する必要がある。
【００１２】
しかし、安定型コンバータの出力側コンデンサとしてフィルムコンデンサやセラミックコンデンサを使用した場合には、出力電圧制御回路の設計の難易度が高くなり、スイッチング電源装置の設計を困難にしてしまうため、設計に多大な時間を要し、設計コストが高くなる問題が発生する。また、スイッチング電源装置の過渡応答特性が悪くなる問題も発生する。これらの問題の原因を以下で説明する。
【００１３】
（安定型コンバータと非安定型コンバータを組み合わせたスイッチング電源装置の出力電圧制御）
図５は、安定型コンバータの出力コンデンサと非安定型コンバータの入力コンデンサとの共用化を行ってしているスイッチング電源装置を示した回路ブロック図である。
【００１４】
（電力変換部の構成）
図５に示すように、スイッチング電源装置は、安定型コンバータ１０と非安定型コンバータ１２を組み合わせてスイッチング電源装置を構成しており、安定型コンバータ１０の入力をスイッチング電源装置の入力とし、安定型コンバータ１０の出力を非安定型コンバータ１２の入力とし、非安定型コンバータ１２の出力をスイッチング電源装置の出力としている。
【００１５】
この例では、安定型コンバータ１０として非絶縁型の降圧チョッパーを用い、非安定型コンバータ１２として絶縁型のフルブリッジコンバータを用いている。安定型コンバータ１０として機能する非絶縁型の降圧チョッパーは、スイッチング素子ＴＲ１１とダイオードＤ１１を備えたスイッチング回路１６とチョークコイルＬ２１０とコンデンサＣ２１０を備えた出力フィルタ回路１８で構成される。非安定型コンバータ１２として機能する絶縁型のフルブリッジコンバータは、スイッチング素子ＴＲ３１〜ＴＲ３４、トランスＴ１、ダイオードＤ３１，Ｄ３２を備えたスイッチング回路２０と、コンデンサＣ４１，Ｃ４２とチョークコイルＬ４１を備えた出力フィルタ回路２２で構成される。
【００１６】
安定型コンバータ１０として機能する降圧チョッパーにおいて、スイッチング回路１６はスイッチング素子ＴＲ１１がオンオフすることで入力コンデンサＣｉｎを介して入力する入力電源１４からの入力電圧Ｖｉｎを断続電圧に変換し、ダイオードＤ１１で整流する。ダイオードＤ１１で整流した後の電圧はチョークコイルＬ２１０とコンデンサＣ２１０で構成される出力フィルタ回路１８に入力されることで平滑され、直流電圧である安定型コンバータ１０の出力電圧Ｖｒｅｇが出力される。降圧チョッパーは、後述の制御部によりスイッチング素子ＴＲ１１のオンデューティが制御されることで、出力電圧Ｖｒｅｇが所定の電圧になるように安定化される。
【００１７】
非安定型コンバータ１２として機能するフルブリッジコンバータは、スイッチング回路２０に安定型コンバータ１０の出力電圧Ｖｒｅｇが入力されており、スイッチング素子駆動回路２６によりスイッチング素子ＴＲ３１、ＴＲ３４の組み合わせとスイッチング素子ＴＲ３２、ＴＲ３３の組み合わせが相補的にオンオフするように制御されており、これらのオンデューティを約５０%で動作させている。
【００１８】
フルブリッジコンバータは、安定型コンバータ１０の出力電圧ＶｒｅｇをトランスＴ１の巻数比Ｎ１：Ｎ２で変換した断続電圧に変換し、ダイオードＤ３１、Ｄ３２で整流する。整流後の電圧はチョークコイルＬ４１とコンデンサＣ４１,Ｃ４２で構成される出力フィルタ回路２２に入力されることで平滑され、直流電圧である出力電圧Ｖｏが出力される。このように非安定型コンバータ１２では、トランスＴ１の巻数比で決定される比率で安定型コンバータ１０の出力電圧Ｖｒｅｇが出力電圧Ｖｏに変換される。
【００１９】
（安定型コンバータの出力電圧制御回路）
安定型コンバータ１０の出力電圧制御回路は、フィードバック制御回路２８、絶縁回路３０及びＰＷＭ制御回路３２で構成される。
【００２０】
フィードバック制御回路２８は、出力電圧Ｖｏが入力され、フィードバック信号ＶＦＢ１を出力する。フィードバック制御回路２８は、誤差アンプ３４と基準電圧源３６で構成されており、出力電圧Ｖｏと基準電圧Ｖｒｅｆを比較し、Ｖｏ＞Ｖｒｅｆの時はフィードバック信号ＶＦＢ１を低下させ、Ｖｏ＜Ｖｒｅｆの時はフィードバック信号ＶＦＢ１を上昇させる。
【００２１】
絶縁回路３０はフォトカプラ３８で構成され、フィードバック信号ＶＦＢ１が入力され、フィードバック信号ＶＦＢ２を出力する。絶縁回路３０は、フィードバック信号ＶＦＢ１に比例した電圧信号であるフィードバック信号ＶＦＢ２を出力する回路であり、フィードバック信号ＶＦＢ１が上昇すればフィードバック信号ＶＦＢ２も上昇し、フィードバック信号ＶＦＢ１が低下すればフィードバック信号ＶＦＢ２も低下する。
【００２２】
ＰＷＭ制御回路３２は、フィードバック信号ＶＦＢ２が入力され、スイッチング素子駆動信号Ｖｓｗを出力する。スイッチング素子駆動信号ＶｓｗはＨレベルとＬレベルの状態を持つ電圧信号である。ＰＷＭ制御回路３２は、ＰＷＭコンパレータ４０と三角波生成回路４２で構成されており、三角波信号Ｖｔｒｉとフィードバック信号ＶＦＢ２を比較し、Ｖｔｒｉ＞ＶＦＢ２の時はスイッチング素子駆動信号ＶｓｗがＬレベルとなり、Ｖｔｒｉ＜ＶＦＢ２の時はスイッチング素子駆動信号ＶｓｗがＨレベルとなる。
【００２３】
三角波信号Ｖｔｒｉは所定の周期と振幅を持つ三角波信号であるので、スイッチング素子駆動信号Ｖｓｗは所定の周期でＨレベルとＬレベルが出力される電圧信号となり、Ｈレベルを出力している時のデューティがフィードバック信号ＶＦＢ２の電圧レベルで制御される。フィードバック信号ＶＦＢ２の電圧レベルが高いときはデューティが大きくなり、フィードバック信号ＶＦＢ２の電圧レベルが低いときはデューティが小さくなる。
【００２４】
スイッチング回路１６のスイッチング素子ＴＲ１１は、スイッチング素子駆動信号ＶｓｗがＨレベルのときオン、Ｌレベルのときオフするように制御されることで、入力電圧Ｖｉｎが所定の周期とデューティを持つ断続電圧に変換される。断続電圧は、非安定型コンバータ１２を介してスイッチング電源装置の出力電圧Ｖｏに変換される。
【００２５】
以上の制御により、スイッチング電源装置の出力電圧Ｖｏが基準電圧Ｖｒｅｆで決定される所定の電圧になるように、出力電圧制御回路が動作する。
【００２６】
（スイッチング電源装置の出力電圧制御回路に対する要求）
図５に示したスイッチング電源装置の出力電圧Ｖｏは、出力電圧制御回路の構成で示した経路の各回路ブロックにおいて信号の変換と受け渡しが行われ、この信号が一巡することで出力電圧Ｖｏが所定の値になるように制御が行われる。
【００２７】
フィードバック制御回路２８の入力を起点にすると、制御信号は、（非安定型コンバータ１２の出力電圧Ｖｏ）→（フィードバック制御回路２８のフィードバック信号ＶＦＢ１）→（絶縁回路３０のフィードバック信号ＶＦＢ２）→（ＰＷＭ制御回路３２のスイッチング素子駆動信号Ｖｓｗ）→（安定型コンバータ１０の出力電圧Ｖｒｅｇ）→（非安定型コンバータ１２の出力電圧Ｖｏ）のように変換されて一巡することで、基準電圧Ｖｒｅｆで決定される所定の電圧値になるように制御が行われる。
【００２８】
各回路ブロックでは、信号を変換する際に所定の増幅率で信号の増幅が行われる。信号が各回路ブロックを通過する際に、信号の増幅が行われ、信号が一巡したときの制御ループの増幅率は、各回路ブロックの増幅率が掛算された値となる。
【００２９】
ここで、出力電圧Ｖｏが各回路ブロックを通過して一巡してきた際の制御ループの増幅率は、スイッチング電源装置の出力電圧Ｖｏを制御する際の電圧設定精度に影響し、増幅率が高いほど、出力電圧Ｖｏは基準電圧Ｖｒｅｆに近づくように制御を行うことができる。従って、スイッチング電源装置の出力電圧Ｖｏを制御する際には、制御信号が一巡したときの増幅率が高いことが求められる。
【００３０】
この増幅率は、スイッチング電源装置の過渡特性にも影響を及ぼす。例えば、スイッチング電源装置の負荷電流が急峻に変化すると、スイッチング電源装置の出力電圧Ｖｏに過渡的な変動が発生し、出力電圧Ｖｏが急峻に変動する。スイッチング電源装置の制御では、過渡的な電圧変動も小さいことが望ましい。従って、出力電圧Ｖｏの急峻な変化に対しても制御ループの増幅率が高いことが求められることになり、出力電圧制御回路は、高い周波数帯域まで増幅率が高いといった特性を持つことが求められる。
【００３１】
ここで、実例を挙げると、スイッチング電源装置に接続されている負荷電流が１００μｓｅｃといった速い時間で大きく変動する場合、スイッチング電源装置の出力電圧制御がこの速度に対して応答しなければ出力電圧Ｖｏを安定化できないため、スイッチング電源装置の出力電圧制御回路は１０ｋＨｚ（１００μｓｅｃの逆数）まで増幅率が高くなるように設計されていることが求められる。
【００３２】
（スイッチング電源装置の出力電圧制御回路の設計）
出力電圧制御回路の各回路ブロックでは制御信号を変換する際に遅れ時間が発生する。制御信号が各ブロックを通過する際に、この遅れ時間が蓄積されるため、制御信号が一巡したときの制御ループの遅れ時間は、各ブロックの遅れ時間が足し算された値となる。そして、信号の遅れ時間は、制御回路の周波数特性に対して位相遅れとなって現れる。信号の遅れ時間が大きいと、高い周波数では位相遅れが大きくなることになる。
【００３３】
スイッチング電源装置の出力電圧制御において、制御信号が一巡して戻ってきた際に、位相遅れが３６０°かつ増幅率が１以上の周波数帯域があると、出力電圧を安定に制御することができない。
【００３４】
従って、スイッチング電源装置の出力電圧制御を安定化するためには、位相遅れが３６０°以上になる周波数帯域では増幅率が１以下になるように設計を行う必要がある。この時、スイッチング電源装置は、過渡応答特性等の観点から、高い周波数帯域まで増幅率が高く、且つ、位相遅れが小さい制御回路を設計しなければならない。
【００３５】
図５に示した安定型コンバータ１０と非安定型コンバータ１２を組み合わせたスイッチング電源装置は、２つのコンバータが直列になっている構成を持つことから、１つのコンバータで構成されているスイッチング電源装置と比較すると、制御信号が通過する回路ブロックの数が多くなり、制御信号が一巡してきた時の制御ループの遅れ時間が大きくなる性質を持っているため、各回路ブロックの遅れ時間が小さくなるような設計を行う必要があり、制御回路の設計の難易度が高い。
【００３６】
（安定型コンバータと非安定型コンバータを組み合わせたスイッチング電源装置の出力電圧制御回路の設計）
図５に示したスイッチング電源装置において、安定型コンバータ１０の出力フィルタ回路１８に設けたコンデンサＣ２１０の容量を小さなものに変更する場合を考える。前述のように、コンデンサＣ２１０には電解コンデンサを使用することができないため、フィルムコンデンサもしくはセラミックコンデンサを使用することになる。以下では、コンデンサＣ２１０に電解コンデンサを用いた場合とフィルムコンデンサを用いた場合の比較を行っている。
【００３７】
チョークコイルＬ２１０を５００μＨとした場合の安定型コンバータ１０に設けた出力フィルタ回路１８に対応した回路ブロックの周波数に対する増幅率と位相の関係を比較した結果を図６及び図７に示す。図６及び図７は、一般的にボード線図と呼ばれるもので、増幅率はゲインに置き換えて表記しており、ｘ軸を周波数の対数、ｙ軸の左側をゲイン、ｙ軸の右側を位相として表記している。
【００３８】
図６は、図５の安定型コンバータの出力フィルタ回路に４００μＦの電解コンデンサを使用した場合の周波数に対するゲイン特性７０と位相特性８０を示したボード線図である。
【００３９】
図６に示すように、コンデンサＣ２１０が電解コンデンサの場合、周波数が低い帯域では、ゲイン０ｄＢ、位相０°となっており、信号の増幅率は１であり、また、位相遅れも発生していない。
【００４０】
約５０Ｈｚからゲインが高くなり始めると同時に位相が遅れ始め、約３００Ｈｚでゲインが最大値の約３．４ｄＢを示し、このときの位相が−３６°となり、これよりも周波数が高い帯域ではゲインが低下すると同時に位相遅れが大きくなり、−９０°付近までの位相遅れが見られる。
【００４１】
図７は、図５の安定型コンバータの出力フィルタ回路に１０μＦのフィルムコンデンサを使用した場合の周波数に対するゲイン特性９０と位相特性１００を示したボード線図である。
【００４２】
図７に示すように、コンデンサＣ２１０がフィルムコンデンサの場合では、図６に示した電解コンデンサの場合と同様に、周波数が低い帯域ではゲイン０ｄＢ、位相０°となっている。約２．３ｋＨｚでゲインが急激に上昇して、最大値が約３７ｄＢとなり、また、この近傍の周波数で急激に位相が変化し、−１８０°付近までの位相遅れが見られる。
【００４３】
以上より、安定型コンバータ１０の出力フィルタ回路１８に対応した回路ブロックは、２．３ｋＨｚ以上の周波数においては、フィルムコンデンサを使用した場合には、電解コンデンサを使用した場合よりも−９０°だけ大きい位相遅れが発生していることが分かる。
【００４４】
安定型コンバータ１０の出力フィルタ回路１８に対応した回路ブロックにおいて、電解コンデンサとフィルムコンデンサを用いた場合の周波数に対するゲインと位相の特性差は、それぞれのコンデンサが持っている等価直列抵抗の違いによる。
【００４５】
例えば４００μＦの電解コンデンサでは、１０００ｍΩ程度の等価直列抵抗を持っているのに対し、１０μＦのフィルムコンデンサでは、１０ｍΩ程度の等価直列抵抗しか持っていない。セラミックコンデンサもフィルムコンデンサと同様に等価直列抵抗が小さい特性を持っているため、コンデンサＣ２１０をセラミックコンデンサに換えても同じような特性となる。
【００４６】
チョークコイルＬ２１０とコンデンサＣ２１０で構成される安定型コンバータ１０の出力フィルタ回路１８は、ＬＣ共振回路を構成する。ＬＣ共振回路は、電流経路にエネルギー損失が無いと共振回路の選択度が上昇し、共振周波数での大きな位相遅れとゲインの上昇が発生する。
【００４７】
安定型コンバータ１０の出力フィルタ回路１８のコンデンサＣ２１０を電解コンデンサからフィルムコンデンサやセラミックコンデンサに変更すると、等価直列抵抗の減少により電流経路のエネルギー損失が減少してしまって共振回路の選択度が上昇し、共振周波数での大きな位相遅れとゲインの上昇が発生することになる。
【００４８】
スイッチング電源装置の出力電圧制御を安定化するためには、位相遅れが−３６０°になる周波数帯域では増幅率が１（ゲインが０ｄＢ）以下になるように設計を行う必要がある。また、例えば、負荷電流の１００μｓｅｃの変動に対して応答できるスイッチング電源装置を設計する場合は、出力電圧制御回路の１０ｋＨｚのゲインを高く設計しなければならない。
【００４９】
安定型コンバータ１０の出力フィルタ回路１８に電解コンデンサを使用した場合は、１０ｋＨｚにおけるこの回路ブロックの位相遅れが−９０°なので、信号が一巡する経路の他の回路ブロックでの位相遅れとして２７０°が許容されるため、信号が一巡する経路の他の回路ブロックの設計が容易になる。
【００５０】
しかし、フィルムコンデンサを使用した場合は、１０ｋＨｚにおける位相遅れが−１８０°なので、信号が一巡する経路の他の回路ブロックでの位相遅れとして１８０°しか許容できなくなり、設計が難しくなる。即ち、安定型コンバータ１０と非安定型コンバータ１２を組み合わせたスイッチング電源装置は、２段のコンバータを組み合わせたことで、出力電圧制御回路の位相遅れの発生個所が多くあるため、フィルムコンデンサを使用すると設計の難易度が高くなってしまう。
【００５１】
また、フィルムコンデンサを使用した場合は、図７に示したように、ゲインが３７ｄＢまで上昇する特性となっているが、ゲインが上昇する周波数の付近で位相遅れが−１８０°となるため、他の回路ブロックを普通に設計した場合には、ゲインが上昇する周波数付近で位相遅れが−３６０°以上となる設計になってしまう場合が多い。
【００５２】
位相遅れが−３６０°となる周波数では、ゲインが０ｄＢ以下になるように設計を行う必要があるが、普通の設計では、この周波数のゲインだけを下げるといった設計を行うことができないため、全周波数帯域のゲインを大きく下げるように設計を行う必要があり、出力電圧精度や過渡応答特性が悪いスイッチング電源装置になってしまう問題が発生する。以下、問題点を再度まとめると次のようになる。
【００５３】
第１に、安定型コンバータにおける出力フィルタ回路の回路ブロックに電解コンデンサを使用した場合は、電解コンデンサの等価直列抵抗が大きいため、この回路ブロックの位相遅れが小さく、また、位相遅れが発生する周波数でのゲインの上昇も少ない。しかし、電解コンデンサは大容量のものが必要になりスイッチング電源装置が大型化する。
【００５４】
第２に、安定型コンバータにおける出力フィルタ回路の回路ブロックを小型化するためにフィルムコンデンサを使用した場合は、フィルムコンデンサの等価直列抵抗が小さいため、この回路ブロックの位相遅れが大きく、また、位相遅れが発生する周波数でのゲインが大きく上昇する。
【００５５】
第３に、出力電圧制御回路において、制御信号が一巡する経路に、位相遅れが大きくなる回路ブロックが有ると、他の回路ブロックの位相遅れを小さくしなければならないため、設計難易度が高くなる。
【００５６】
第４に、出力電圧制御回路において、制御信号が一巡する経路に、ゲインが大きく上昇する回路ブロックが有ると、全周波数帯域のゲインを大きく下げるように設計を行う必要があり、スイッチング電源装置としての出力電圧精度や過渡応答特性が悪くなる。
【００５７】
以上より、安定型コンバータと非安定型コンバータを組み合わせたスイッチング電源装置の小型化を行う場合において、スイッチング電源装置を構成するコンデンサを小容量のものに変更するために、フィルムコンデンサやセラミックコンデンサを用いようとすると、出力電圧制御回路の設計難易度が高くなることで設計コストが増大し、また、スイッチング電源装置としての出力電圧精度や過渡応答特性が悪くなるといった問題が発生する。
【００５８】
本発明は、安定型コンバータと非安定型コンバータを組み合わせたスイッチング電源装置を小型化するために、安定型コンバータの出力フィルタ回路のコンデンサを等価直列抵抗の小さなものに変更する場合の設計の難易度を低減し、出力電圧の制御精度や過渡応答特性を改善するスイッチング電源装置を提供することを目的とする。
【課題を解決するための手段】
【００５９】
（スイッチング電源装置）
本発明は、安定型コンバータと非安定型コンバータを直列に接続し、出力電圧制御回路により安定型コンバータのスイッチング素子を制御することで非安定型コンバータの出力電圧が所定の電圧に安定化されるように制御するスイッチング電源装置であって、
安定型コンバータは、チョークコイルとコンデンサ部で構成された出力フィルタ回路を持ち、コンデンサ部は、第１のコンデンサと、抵抗と第２のコンデンサの直列回路が第１のコンデンサに並列に接続されたことを特徴する。
【００６０】
（第１のコンデンサの具体例１）
第１のコンデンサを、フィルムコンデンサ又はセラミックコンデンサとする。
【００６１】
（第１及び第２のコンデンサの具体例２）
第１のコンデンサをフィルムコンデンサ又はセラミックコンデンサとし、第２のコンデンサを電解コンデンサとする。
【００６２】
（電位障壁素子）
第２のコンデンサに直列に接続している抵抗に電位障壁素子を並列に接続する。
【００６３】
（電位障壁素子の直列抵抗）
電位障壁素子と直列に抵抗を接続する。
【発明の効果】
【００６４】
（基本的な効果）
本発明は、安定型コンバータと非安定型コンバータを直列に接続し、出力電圧制御回路により安定型コンバータのスイッチング素子を制御することで非安定型コンバータの出力電圧が所定の電圧に安定化されるように制御するスイッチング電源装置であって、安定型コンバータは、チョークコイルとコンデンサ部で構成された出力フィルタ回路を持ち、コンデンサ部は、第１のコンデンサと、抵抗と第２のコンデンサの直列回路が第１のコンデンサに並列に接続されたため、安定型コンバータの出力フィルタ回路のコンデンサと非安定型コンバータの入力コンデンサを共用化して容量を小さくした場合に、安定型コンバータの出力側の平滑用の第１のコンデンサに対して第２のコンデンサと抵抗の直列回路を並列接続することで、第１のコンデンサを等価直列抵抗の小さなものにした場合の出力フィルタ回路の位相遅れとゲインの上昇を抑制し、安定型コンバータの出力フィルタ回路以外の出力電流制御回路の回路ブロックにおける位相遅れの許容範囲が増大することで出力電圧制御回路の設計を容易にし、設計検証に要する時間を短縮することが可能となり、また、ゲイン上昇を抑制することで、全周波数帯域のゲインを下げなくても出力電流を安定に制御できることから、出力電圧精度や過渡応答特性を悪化させることなく、小型で低コストのスイッチング電源装置を実現できる。
【００６５】
（第１のコンデンサの具体例１による効果）
また、第１のコンデンサを、容量の小さなフィルムコンデンサ又はセラミックコンデンサとした場合は、安定型コンバータのリップルは大きくなるが、後段の非安定型コンバータの出力フィルタ回路でリップルを小さくできるので、第１のコンデンサに加わるリップル電流が大きくても良く、第１のコンデンサを小型化しても、直列等価抵抗の小さいフィルムコンデンサ又はセラミックコンデンサとしたことで発熱を防止できるが、第１のコンデンサの直列等価容量が小さくなると出力フィルタ回路の位相遅れとゲイン上昇が大きくなる問題があり、これに対し第１のコンデンサと並列に第２のコンデンサと抵抗の直列回路を接続したことで、出力フィルタ回路におけるＬＣ共振回路の電流経路に第２のコンデンサに直列接続した抵抗が入って共振電流に対しエネルギー損失を発生し、これにより共振回路の選択度を下げることで、位相遅れとゲイン上昇を抑えることができる。
【００６６】
（第１及び第２のコンデンサの具体例２による効果）
また、第１のコンデンサをフィルムコンデンサ又はセラミックコンデンサとし、第２のコンデンサを電解コンデンサとしたため、第２のコンデンサの直列等価抵抗は同じ容量のフィルムコンデンサ又はセラミックコンデンサに比較して、電解コンデンサを使用したことで大きくなるが、第２のコンデンサは、等価直列抵抗の小さい第１のコンデンサに並列に接続されているため、出力フィルタ回路のチョークコイルに発生するリップル電流は第１のコンデンサに流れ、第２のコンデンサにはほとんど流れず、従って、第２のコンデンサに直列等価抵抗の大きい電解コンデンサを使用しても発熱等の問題はなく、電解コンデンサは同じ容量のフィルムコンデンサやセラミックコンデンサと比較すると体積が小さくなることから、スイッチング電源装置の小型化が可能となる。
【００６７】
（電位障壁素子の効果）
また、第２のコンデンサに直列に接続されている抵抗に電位障壁素子を並列に接続したため、負荷電流が急峻に変化して第１のコンデンサと第２のコンデンサとの間に電位差が生じても、電位障壁素子が導通して抵抗を流れる電流がバイパスされるため、熱損失の問題を起こすことなく抵抗の値を大きくすることができるため、フィルタ回路の位相遅れ（位相回転）とゲインの上昇を抑制可能とする。
【００６８】
（電位障壁素子の直列抵抗による効果）
また、電位障壁素子と直列に抵抗を接続したため、負荷電流が急峻に変化したときの出力フィルタ回路における共振電流経路のエネルギー損失を電位障壁素子と直列に接続した抵抗により調整し、出力電圧制御回路の安定化を図ることできる。
【図面の簡単な説明】
【００６９】
【図１】本発明によるスイッチング電源装置の第１実施形態を示した回路ブロック図
【図２】図１の安定型コンバータの出力フィルタ回路における周波数に対するゲイン特性と位相特性を示したボード線図
【図３】本発明によるスイッチング電源装置の第２実施形態を示した回路ブロック図
【図４】図３の安定型コンバータの出力フィルタ回路の他の実施形態を示した回路図
【図５】安定型コンバータの出力コンデンサと非安定型コンバータの入力コンデンサの共用化を行ったスイッチング電源装置を示した回路ブロック図
【図６】図５の安定型コンバータの出力フィルタ回路に電解コンデンサを使用した場合の周波数に対するゲイン特性と位相特性を示したボード線図
【図７】図５の安定型コンバータの出力フィルタ回路にフィルムコンデンサを使用した場合の周波数に対するゲイン特性と位相特性を示したボード線図
【発明を実施するための形態】
【００７０】
［スイッチング電源装置の第１実施形態］
図１は本発明によるスイッチング電源装置の第１実施形態を示した回路ブロック図である。
【００７１】
（電力変換部の構成）
図１に示すように、本実施形態のスイッチング電源装置は、図５と同様に、安定型コンバータ１０と非安定型コンバータ１２を組み合わせてスイッチング電源装置を構成しており、安定型コンバータ１０の入力をスイッチング電源装置の入力とし、安定型コンバータ１０の出力を非安定型コンバータ１２の入力とし、非安定型コンバータ１２の出力をスイッチング電源装置の出力としている。
【００７２】
安定型コンバータ１０として非絶縁型の降圧チョッパーを用い、非安定型コンバータ１２として絶縁型のフルブリッジコンバータを用いている。安定型コンバータ１０として機能する非絶縁型の降圧チョッパーは、スイッチング素子ＴＲ１１とダイオードＤ１１を備えたスイッチング回路１６と出力フィルタ回路１８で構成される。非安定型コンバータ１２として機能する絶縁型のフルブリッジコンバータは、スイッチング素子ＴＲ３１〜ＴＲ３４、トランスＴ１、ダイオードＤ３１，Ｄ３２を備えたスイッチング回路２０と、コンデンサＣ４１，Ｃ４２とチョークコイルＬ４１を備えた出力フィルタ回路２２で構成される。
【００７３】
非安定型コンバータ１２として機能するフルブリッジコンバータは、スイッチング素子駆動回路２６によりスイッチング素子ＴＲ３１、ＴＲ３４の組み合わせとスイッチング素子ＴＲ３２、ＴＲ３３の組み合わせが相補的にオンオフするように制御されており、これらのオンデューティを約５０％で動作させている。
【００７４】
（安定型コンバータの出力電圧制御回路）
安定型コンバータ１０の出力電圧制御回路は、フィードバック制御回路２８、絶縁回路３０及びＰＷＭ制御回路３２で構成され、各回路ブロックの構成と動作は図５と同じになる。
【００７５】
安定型コンバータ１０の出力電圧制御回路は、フィードバック制御回路２８の入力を起点にすると、制御信号は、（非安定型コンバータ１２の出力電圧Ｖｏ）→（フィードバック制御回路２８のフィードバック信号ＶＦＢ１）→（絶縁回路３０のフィードバック信号ＶＦＢ２）→（ＰＷＭ制御回路３２のスイッチング素子駆動信号Ｖｓｗ）→（安定型コンバータ１０の出力電圧Ｖｒｅｇ）→（非安定型コンバータ１２の出力電圧Ｖｏ）のように変換されて一巡することで、基準電圧Ｖｒｅｆで決定される所定の電圧値になるように制御が行われる。
【００７６】
（安定型コンバータの出力フィルタ回路）
図１に示すように、安定型コンバータ１０に設けられた出力フィルタ回路１８は、チョークコイルＬ２１とコンデンサ部で構成されており、コンデンサ部は第１のコンデンサとして機能するコンデンサＣ２１と、コンデンサＣ２１に対して、抵抗Ｒ２０と第２のコンデンサとして機能するコンデンサＣ２０の直列回路を並列に接続したことが特徴となる。
【００７７】
ここで、第１のコンデンサとなるコンデンサＣ２１及び第２のコンデンサとなるコンデンサＣ２０は、同じ容量の電解コンデンサと比較して等価直列抵抗の小さいフィルムコンデンサ又はセラミックコンデンサとしている。
【００７８】
このようにチョークコイルＬ２１に発生するリップル電流が流れる平滑用のコンデンサＣ２１と並列に、抵抗Ｒ２０とコンデンサＣ２０の直列回路を接続したことで、安定型コンバータ１０の出力フィルタ回路１８の位相が遅れる特性とゲインが上昇する特性を改善することができる。
【００７９】
図２は図１の安定型コンバータの出力フィルタ回路における周波数に対するゲイン特性と位相特性を示したボード線図である。
【００８０】
図２にあっては、図７と比較できるように、チョークコイルＬ２１を図５のチョークコイルＬ２１０と同じ５００μＨとしている。また、コンデンサＣ２１およびコンデンサＣ２０の容量をそれぞれ５μＦのフィルムコンデンサとすることで、コンデンサＣ２１，Ｃ２０の合計容量が図５のコンデンサＣ２１０の場合と一致するようにしている。
【００８１】
図２では、抵抗Ｒ２０の抵抗値を２Ω、４Ω、６Ω、８Ω、および、１０Ωと変化させた場合のボード線図を示している。何れの場合もゲイン特性５０としてゲインが最大となる周波数が約２.３ｋＨｚで図７のゲイン特性９０と一致している。これは、コンデンサＣ２０とコンデンサＣ２１の容量の合計値が１０μＦであることと、チョークコイルＬ２１が５００μＨであることによる。
【００８２】
ゲイン特性５０に示すように、共振周波数におけるゲインの上昇は、抵抗Ｒ２０の値が大きくなると低下する特性を示し、最大値は、２２ｄＢ〜１０ｄＢとなっている。また、位相特性６０は、１０ｋＨｚにおける位相遅れも抵抗Ｒ２０が大きくなることで低減し、−１６８°〜−１５２°となっている。
【００８３】
これは、抵抗Ｒ２０を大きくすることで、安定型コンバータ１０に設けた出力フィルタ回路１８の位相遅れと共振周波数におけるゲインの上昇を抑制できることを示している。
【００８４】
前述したように、出力フィルタ回路１８を構成するＬＣ共振回路は、電流経路にエネルギー損失が無いと共振回路の選択度が上昇し、共振周波数での大きな位相遅れと共振周波数におけるゲインの上昇が発生する。
【００８５】
本発明の第１実施形態では、直列等価抵抗の小さなフィルムコンデンサを用いたコンデンサＣ２１に、損失を発生させるための抵抗Ｒ２０を並列に接続する。この際、チョークコイルＬ２１とコンデンサＣ２１に共振電流が流れたときにのみ抵抗Ｒ２０が作用するように、抵抗Ｒ２０と直列にコンデンサＣ２０を接続する。この構成により、共振電流経路にエネルギー損失を発生し、共振回路の選択度を低下させて位相遅れと共振周波数におけるゲインの上昇を抑制している。
【００８６】
出力フィルタ回路１８の位相遅れを抑制できると、制御信号が一巡する出力電圧制御回路による経路の他のブロックでの位相遅れの許容値を増やすことができるため、信号が一巡する経路の他の回路ブロックとなる非安定型コンバータ１２、フィードバック制御回路２８、絶縁回路３０、ＰＷＭ制御回路３２、及び安定型コンバータ１０のスイッチング回路１６の設計が容易になる。
【００８７】
また、共振周波数におけるゲインの上昇を抑制することができると、全周波数帯域のゲインを下げなくても出力電圧を安定に制御できるようになるため、出力電圧精度や過渡応答特性を悪化させることが無い。
【００８８】
このような出力フィルタ回路１８を用いた図１に示す安定型コンバータ１０と非安定型コンバータ１２を組み合わせたスイッチング電源装置において、安定型コンバータ１０の出力フィルタ回路１８のチョークコイルＬ２１に発生したリップル電流が流れる平滑用のコンデンサＣ２１を小型化するために小さな容量のコンデンサに変更し、更に、リップル電流による熱損失を低減するためにコンデンサＣ２１に等価直列抵抗の小さい例えばフィルムコンデンサを使用しても、コンデンサＣ２１に抵抗Ｒ２０とコンデンサＣ２０の直列回路を並列に接続したことで、出力フィルタ回路１８の位相遅れと共振周波数におけるゲイン上昇が抑制され、出力電圧制御回路の設計難易度が高くなることが無く、また、共振周波数におけるゲイン上昇が抑制されることで、全周波数帯域のゲインを下げなくても出力電流を安定に制御できることから、スイッチング電源装置としての出力電圧精度や過渡応答特性が悪くなるといった問題も発生しない。これにより、小型で設計コストが低く、特性の良いスイッチング電源装置を作ることができる。
【００８９】
（コンデンサＣ２０を電解コンデンサとした実施形態）
図１に示したスイッチング電源装置の第１実施形態では、出力フィルタ回路１８に設けたコンデンサＣ２０に等価直列抵抗の小さいフィルムコンデンサを使用した例を示したが、抵抗Ｒ２０を大きくすることで、コンデンサＣ２０に容量の小さな電解コンデンサを使用しても構わない。
【００９０】
前述したように、電解コンデンサは容量が小さくなると等価直列抵抗が大きくなることでリップル電流が流れた時の熱損失が増大するため、図５に示した安定型コンバータ１０に設けられた出力フィルタ回路１８のコンデンサＣ２１０に電解コンデンサは使用できない。
【００９１】
これに対し図１の実施形態にあっては、コンデンサＣ２０には抵抗Ｒ２０が直列に接続されており、また、等価直列抵抗が小さなフィルムコンデンサやセラミックコンデンサを用いたコンデンサＣ２１が並列に接続されていることから、安定型コンバータ１０のチョークコイルＬ２１に発生するリップル電流は、等価直列抵抗が小さなコンデンサＣ２１に流れることになり、抵抗Ｒ２０を大きくすると、コンデンサＣ２０にはリップル電流がほとんど流れない。
【００９２】
従って、コンデンサＣ２０に等価直列抵抗が大きくリップル電流耐量の小さい電解コンデンサを使用しても発熱等の問題が発生しない。
【００９３】
また、コンデンサＣ２０に電解コンデンサを使用した場合、電解コンデンサは同じ容量のフィルムコンデンサやセラミックコンデンサと比較すると体積が小さくなることから、スイッチング電源装置の小型化が可能になる。
【００９４】
［スイッチング電源装置の第２実施形態］
図３は本発明によるスイッチング電源装置の第２実施形態を示した回路ブロック図である。
【００９５】
図３に示すように、図１に示した第１実施形態との違いは、安定型コンバータ１０の出力フィルタ回路１８に設けた抵抗Ｒ２０に対して、電位障壁素子として機能するダイオードＤ２０を並列に接続していることである。ダイオードＤ２０は、スイッチング電源装置の負荷電流が急峻に変化した際の抵抗Ｒ２０の損失を低減するために用いる。なお、それ以外の構成及び動作は図１の実施形態と同じになる。
【００９６】
図１に示した第１実施形態のスイッチング電源装置において、出力電圧制御を安定化するためには抵抗Ｒ２０が大きいことが望ましいが、負荷電流を急激に変化させた場合、コンデンサＣ２１とコンデンサＣ２０の電位差が抵抗Ｒ２０に印加されることになるため、抵抗Ｒ２０を大きくすると抵抗の損失が大きくなり発熱等の問題が発生する。
【００９７】
この問題を解決するため、図３の第２実施形態では、抵抗Ｒ２０にダイオードＤ２０を並列に接続することで、抵抗Ｒ２０にダイオードＤ２０の順方向の電位障壁以上の電圧が加わることが無くなり、抵抗Ｒ２０の損失を低減して発熱の問題を解決することが可能となる。これにより抵抗Ｒ２０の抵抗値を大きくすることで、出力フィルタ回路１８の位相遅れとゲイン上昇を更に抑制可能とする。以下、動作の詳細を述べる。
【００９８】
スイッチング電源装置が定常状態で動作している場合、ダイオードＤ２０は機能していない。これは、ダイオードＤ２０の順方向の電位障壁の働きによる。ここで、ダイオードＤ２０は一般的なＰＮ接合のもので、約０.６ボルトの電位障壁を持っている。
【００９９】
本実施形態では、コンデンサＣ２１と並列に、抵抗Ｒ２０とコンデンサＣ２０の直列回路が並列に接続されているため、出力電流が変動しない定常状態では、コンデンサＣ２１とコンデンサＣ２０の電圧がほとんど同じ値となっており、抵抗Ｒ２０の発生電圧は、ダイオードＤ２０の電位障壁以下の電圧になっている。従って、定常状態では、ダイオードＤ２０は存在していないのと同じ状態となるため、図２に示した安定型コンバータ１０に設けられた出力フィルタ回路１８のボード線図に影響を及ぼすことが無く、ボード線図は変化することが無いので、図１の実施形態と同じ特性が得られる。
【０１００】
ダイオードＤ２０は、スイッチング電源装置の負荷電流が急峻に変化した際に作用する。ダイオードＤ２０の極性を図３に示した方向で用いる場合では、負荷電流が急激に大きく増加した場合に作用する。スイッチング電源装置の負荷電流が急激に大きくなると、非安定型コンバータ１２に設けた出力フィルタ回路２２のコンデンサＣ４１やコンデンサＣ４２から負荷２４に向かって電流が供給され、出力電圧Ｖｏが低下する。
【０１０１】
コンデンサＣ４１やコンデンサＣ４２の電圧が低下すると、安定型コンバータ１０のコンデンサＣ２１からも非安定型コンバータ１２を経由して負荷２４に電流が供給される。このためコンデンサＣ２１が電流を供給することで電圧が低下すると、コンデンサＣ２０との電位差が生じる。この電位差が抵抗Ｒ２０に印加されることになり、電位差がダイオードＤ２０の順方向の電位障壁を超えるとダイオードＤ２０が導通する。このとき、コンデンサＣ２０が放出する電流はダイオードＤ２０を流れる。
【０１０２】
また、ダイオードＤ２０が導通する場合、図３の実施形態では、コンデンサＣ２０の放電方向に対してのみの導通となり、充電方向に対しては抵抗Ｒ２０が作用する。
【０１０３】
この構成により、スイッチング電源装置の負荷電流が急激に大きく増加しても、抵抗Ｒ２０にダイオードＤ２０の電位障壁以上の電圧が加わることが無いため、抵抗Ｒ２０の抵抗値を大きくしても発熱等の問題がなくなる。抵抗Ｒ２０の抵抗値を大きくできることで、チョークコイルＬ２１とコンデンサＣ２１で構成されるＬＣ共振回路の共振電流経路に位置する抵抗Ｒ２０のエネルギー損失を増加させることできるため、共振回路の選択度を低下させて位相遅れとゲインの上昇の抑制を実現し、出力電圧制御回路の安定化を図ることができる。
【０１０４】
［安定型コンバータの出力フィルタ回路の他の実施形態］
図４は図３の安定型コンバータの出力フィルタ回路の他の実施形態を示した回路図である。
【０１０５】
図３の実施形態では、ダイオードＤ２０の極性をコンデンサＣ２０が電流を放出する方向としているが、図４（Ａ）に示すように、ダイオードＤ２０の極性を逆方向としコンデンサＣ２０に電流を充電する方向としても構わない。
【０１０６】
図４（Ａ）に示すように、図３とは逆方向にダイオードＤ２０を接続した場合には、コンデンサＣ２０に電流が流れ込む方向でダイオードＤ２０が作用するようになるため、負荷電流が急激に減少した場合にコンデンサＣ２１とコンデンサＣ２０との間に生ずる電位差で、コンデンサＣ２０の充電方向に対してのみ導通となり、コンデンサＣ２０の放電方向に対しては抵抗Ｒ２０が作用する。
【０１０７】
この構成により、スイッチング電源装置の負荷電流が急激に大きく減少しても、抵抗Ｒ２０にダイオードＤ２０の電位障壁以上の電圧が加わることが無いため、抵抗Ｒ２０の抵抗値を大きくしても発熱等の問題がなく、抵抗Ｒ２０の抵抗値を大きくできることで、チョークコイルＬ２１とコンデンサＣ２１で構成されるＬＣ共振回路の共振電流経路に位置する抵抗Ｒ２０にエネルギー損失を発生し、共振回路の選択度を低下させて位相遅れとゲインの上昇の抑制を実現し、出力電圧制御回路の安定化を図ることができる。
【０１０８】
また、図４（Ｂ）に示すように、ダイオードＤ２０と直列に抵抗Ｒ２２を接続しても構わない。ダイオードＤ２０に直列接続した抵抗Ｒ２２により、スイッチング電源装置の負荷電流が急激に大きく増加して、コンデンサＣ２１とコンデンサＣ２０の電位差が加わってダイオードＤ２０が導通した際のエネルギー損失を所望の値に調整することで、出力フィルタ回路１８の共振回路としての選択度を調整することができる。
【０１０９】
また、図４（Ｃ）に示すように、抵抗Ｒ２０と並列にツェナーダイオードＺＤ２０を接続しても構わない。抵抗Ｒ２０に並列接続したツェナーダイオードＺＤ２０により、スイッチング電源装置の負荷電流が急激に大きく増加した際には、ツェナーダイオードＺＤ２０は順方向で導通するため、抵抗Ｒ２０にはダイオードのＰＮ接合の電位障壁が印加されるが、スイッチング電源装置の負荷電流が急激に大きく減少した際には、ツェナーダイオードＺＤ２０は逆方向で導通するため、抵抗Ｒ２０に印加される電位障壁をツェナーダイオードＺＤ２０のツェナー電圧に調整できる。この実施形態は、スイッチング電源装置が定常動作しているときに抵抗Ｒ２０に発生する電圧が大きい場合に適している。
【０１１０】
更に、図４（Ｄ）に示すように、抵抗Ｒ２０と並列にツェナーダイオードＺＤ２０，ＺＤ２１を逆極性に直列接続した回路を接続しても構わない。抵抗Ｒ２０に並列接続したツェナーダイオードＺＤ２０，ＺＤ２１により、スイッチング電源装置の負荷電流が急激に大きく増加又は減少し、コンデンサＣ２１とコンデンサＣ２０の電位差が加わってツェナーダイオードＺＤ２０又はＺＤ２１が導通するための電位障壁をツェナーダイオードＺＤ２０又はＺＤ２１のツェナー電圧に調整できる。この実施形態は、図４（Ｃ）と同様、スイッチング電源装置が定常動作しているときに抵抗Ｒ２０に発生する電圧が大きい場合に適している。
【０１１１】
［本発明の変形例］
本発明は、その目的と利点を損なうことのない適宜の変形を含み、更に上記の実施形態に示した数値による限定は受けない。
【符号の説明】
【０１１２】
１０：安定型コンバータ
１２：非安定型コンバータ
１４：入力電源
１６，２０：スイッチング回路
１８，２２：出力フィルタ回路
２４：負荷
２６：スイッチング素子駆動回路
２８：フィードバック制御回路
３０：絶縁回路
３２：ＰＷＭ制御回路
３４：誤差アンプ
３６：基準電圧源
３８：フォトカプラ
４０：ＰＷＭコンパレータ
４２：三角波生成回路
Ｌ２１：チョークコイル
Ｃ２０，Ｃ２１：コンデンサ
Ｒ２０，Ｒ２２：抵抗
Ｄ２０：ダイオード
ＺＤ２０，ＺＤ２１：ツェナーダイオード
【図１】
2018098982.tif 000003
【図２】
2018098982.tif 000004
【図３】
2018098982.tif 000005
【図４】
2018098982.tif 000006
【図５】
2018098982.tif 000007
【図６】
2018098982.tif 000008
【図７】
2018098982.tif 000009